(57)【要約】【課題】  カメラ撮像部から出力される画像データにおける撮影禁止領域を特定し、対象領域の画質低減処理を行い撮影記録を行うデータ記録方法を提供する。【解決手段】  カメラ撮像部１０２と、映像信号を圧縮伸張する圧縮伸張部１０３と、ランダムアクセス可能な記録媒体部１０４と、映像を表示可能なディスプレイ表示部１０５と、撮影画像中の特定の領域を指定する画像領域特定部１０７と、外部通信機器１１０と通信可能な通信部１０８を備え、外部通信機器１１０との通信を行い、該通信により得られる撮影管理情報に基づき、入力画像内の撮影禁止領域を特定し、特定した領域に対して画質低減処理を行なうこととした。【選択図】図１
2005323007.tif 000002
【特許請求の範囲】
【請求項１】
被写体の撮影データを記録再生する記録再生装置において、
被写体を撮像し、被写体の撮像データを所定の画像データに変換して出力するカメラ撮像部と、
前記画像データの圧縮、及び伸張を行なう圧縮伸張部と、
前記画像データを可視可能に表示するディスプレイ部と、
前記被写体の撮影禁止領域を指定する撮影管理情報を、無線通信により受信する通信部と、
前記カメラ撮像部から出力される画像データのうちから、前記撮影管理情報が指定する撮影禁止領域に対応する撮影制限領域を特定する画像領域特定部と、
前記撮影制限領域の画像データに対して所定の画像処理を行うよう、前記カメラ撮像部、及び前記圧縮伸張部を制御する制御部とを備える、
ことを特徴とする記録再生装置。
【請求項２】
請求項１に記載の記録再生装置において、
前記撮影管理情報は、前記撮像データの所定領域が撮影禁止であるか、あるいは全ての領域が撮影禁止であるかを示す撮影禁止フラグと、前記撮影禁止領域を２次元の座標点として表す位置情報とを備える、
ことを特徴とする記録再生装置。
【請求項３】
請求項２に記載の記録再生装置において、
前記画像領域特定部は、前記カメラ撮像部から出力される画像データから、前記撮影管理情報を送信する機器を検出し、該撮影管理情報送信機器の位置を原点とする２次元座標系と前記位置情報とに基づき前記撮影制限領域を特定する、
ことを特徴とする記録再生装置。
【請求項４】
請求項３に記載の記録再生装置において、
前記制御部は、前記カメラ撮像部から出力される画像データの全体に対して前記撮影制限領域が占める割合が所定値以下の場合に、前記撮影制限領域の画質低減処理を行なうよう、前記カメラ撮像部、及び前記圧縮伸張部を制御する、
ことを特徴とする記録再生装置。
【請求項５】
請求項４に記載の記録再生装置において、
前記撮影制限領域の画質低減処理は、前記カメラ撮像部が行なうフォーカス制御、マスク処理、フィルタ処理、及び前記圧縮伸張部が行なう圧縮レート制御のいずれか、若しくは複数の組み合わせである、
ことを特徴とする記録再生装置。
【請求項６】
請求項３に記載の記録再生装置において、
前記制御部は、前記カメラ撮像部から出力される画像データの全体に対して前記撮影制限領域が占める割合が所定値以上の場合は、前記カメラ撮像部から出力される画像データの記録媒体への記録を禁止する、
ことを特徴とする記録再生装置。
【請求項７】
被写体の撮影データを記録再生する記録再生方法において、
被写体を撮像し、被写体の撮像データを所定の画像データに変換して出力する撮像ステップと、
前記被写体の撮影禁止領域を指定する撮影管理情報を、無線通信により受信する通信ステップと、
前記画像データのうちから、前記撮影管理情報が指定する撮影禁止領域に対応する撮影制限領域を特定する画像領域特定ステップと、
前記撮影制限領域に対して所定の画像処理を行う画像処理ステップと、
前記画像処理後の画像データの圧縮、及び伸張を行なう圧縮伸張ステップと、
前記画像処理後の画像データを可視可能に表示する画像表示ステップとを備える、
ことを特徴とする記録再生方法。
【請求項８】
請求項７に記載の記録再生方法において、
前記撮影管理情報は、前記撮像データの所定領域が撮影禁止であるか、あるいは全ての領域が撮影禁止であるかを示す撮影禁止フラグと、前記撮影禁止領域を２次元の座標点として表す位置情報とを備える、
ことを特徴とする記録再生方法。
【請求項９】
請求項８に記載の記録再生方法において、
前記画像領域特定ステップは、前記画像データから、前記撮影管理情報を送信する機器を検出し、該撮影管理情報送信機器の位置を原点とする２次元座標系と前記位置情報とに基づき前記撮影制限領域を特定するステップである、
ことを特徴とする記録再生方法。
【請求項１０】
請求項９に記載の記録再生方法において、
前記画像処理ステップは、前記画像データの全体に対して前記撮影制限領域が占める割合が所定値以下の場合に、前記撮影制限領域の画質低減処理を行なうステップである、
ことを特徴とする記録再生方法。
【請求項１１】
請求項１０に記載の記録再生方法において、
前記撮影制限領域の画質低減処理は、フォーカス制御、マスク処理、フィルタ処理、及び圧縮レート制御のいずれか、若しくは複数の組み合わせである、
ことを特徴とする記録再生方法。
【請求項１２】
請求項９に記載の記録再生方法において、
前記画像データの全体に対して前記撮影制限領域が占める割合が所定値以上の場合は、前記画像データの記録媒体への記録を禁止する、
ことを特徴とする記録再生方法。
【発明の詳細な説明】
【技術分野】
【０００１】
本発明は、カメラ撮像部からの入力画像における撮影禁止領域を特定し、特定した領域に対して画像処理を行ない撮影制限を行う記録再生装置、及び記録再生方法に関する。
【背景技術】
【０００２】
現在、カードサイズムービーやデジタルカメラ、あるいはカメラ付き携帯電話等のように、カメラ撮像素子を搭載した超小型の映像記録再生機器が普及してきており、小型化技術、高画質化技術の進歩に伴い小型映像記録再生機器においても高画素高画質の映像を記録することが可能である。これらの映像記録再生機器は、映像データの撮影制限が特に設けていないので、撮影ボタンを押下すれば、いつでも映像を高画質で記録することができる。このため、著作権侵害やプライバシー侵害が問題となっている。
【０００３】
このような問題に対する、従来の装置として、カメラ検出手段からスポット光を照射し、該スポット光がカメラ機器により反射した際の反射光を検出することにより、カメラ機器の存在を使用者に通知するカメラ検知装置がある (例えば、特許文献１参照) 。
【０００４】
図５は、上記従来のカメラ検知装置を表すブロック図である。
図５において、５０１はカメラ機器を表す。５０２は、カメラ機器５０１を検出するためのスポット光を照射するためのスキャン装置であり、スポット光源５０３、スポット光源５０３を上下左右に移動させるスキャン機構５０４、及びカメラ機器５０１にて反射したスポット光を受光する光センサ５０５を備える。５０６はカメラ検出部であり、スキャン機構５０４からの出力を受ける位置メモリ５０７と光センサ５０５からの出力を受けるマイクロコンピュータ５０８を備える。５０９は、カメラの検出をアラーム出力によりユーザーに報告するアラーム出力／報告部である。
【０００５】
以上のように構成されるカメラ検出装置の動作について説明する。
スキャン装置５０２は、スキャン機構５０４を制御してスポット光源５０３を上下左右方向に移動させ、スポット光を周囲にスキャンする。スポット光がカメラ機器５０１のレンズ部分で反射すると、光センサ５０５は、該反射光を検出し、カメラ検出部５０６のマイクロコンピュータ５０８に出力する。スキャン機構５０４は、スポット光源５０３のスキャン角度情報を位置メモリ５０７に出力しており、マイクロコンピュータ５０８は、光センサ５０５から前記反射光の検出信号を受けたときのスキャン角度情報を位置メモリ５０７から得てカメラ機器の有無を判定する。カメラ検出部５０６がカメラ機器５０１の存在を確認した場合は、アラーム出力／報告部５０９は、報知音、あるいは光等を使用してカメラ機器の存在をユーザーに報告する。
【特許文献１】特開２００２−１９７５６２号公報（第５図）
【発明の開示】
【発明が解決しようとする課題】
【０００６】
しかしながら、上記従来のカメラ検知装置は、周囲に存在するカメラ機器を検出し、カメラ機器の有無を知らせることはできるが、カメラ機器５０１自身に撮影制限を設けていないため、カメラの所有者は撮影ボタンを押下すれは、被写体の撮影を行うことは可能であり、撮影が禁止されている公共の場所、例えば、美術館や映画館、あるいは劇場などでの著作権侵害が問題となる。今日では、小型カメラ機器やカメラ付き携帯電話の普及と、機器の高画質化、小型化に伴い、常にカメラ機器を携帯する人が増加しており、手軽に高画質の撮影を行うことが可能であることから、以前と比較して撮影制限場所における撮影抑止力が低下しており、カメラ機器側において、著作権保護、あるいはプライバシー保護の為の正当な撮影制限を行なう事が可能な記録再生装置が必要とされている。
【０００７】
本発明は上記課題を解決するためになされたものであり、著作権保護若しくはプライバシー保護が必要とされる被写体の撮影制限を行うことが可能な記録再生装置、及び記録再生方法を提供することを目的とする。
【課題を解決するための手段】
【０００８】
上記課題を解決するため、本発明の請求項１に係る記録再生装置は、被写体の撮影データを記録再生する記録再生装置において、被写体を撮像し、被写体の撮像データを所定の画像データに変換して出力するカメラ撮像部と、前記画像データの圧縮、及び伸張を行なう圧縮伸張部と、前記画像データを可視可能に表示するディスプレイ部と、前記被写体の撮影禁止領域を指定する撮影管理情報を、無線通信により受信する通信部と、前記カメラ撮像部から出力される画像データのうちから、前記撮影管理情報が指定する撮影禁止領域に対応する撮影制限領域を特定する画像領域特定部と、前記撮影制限領域の画像データに対して所定の画像処理を行うよう、前記カメラ撮像部、及び前記圧縮伸張部を制御する制御部とを備えることを特徴とする。
【０００９】
また、本発明の請求項２に係る記録再生装置は、請求項１に記載の記録再生装置において、前記撮影管理情報は、前記撮像データの所定領域が撮影禁止であるか、あるいは全ての領域が撮影禁止であるかを示す撮影禁止フラグと、前記撮影禁止領域を２次元の座標点として表す位置情報とを備えることを特徴とする。
【００１０】
また、本発明の請求項３に係る記録再生装置は、請求項２に記載の記録再生装置において、前記画像領域特定部は、前記カメラ撮像部から出力される画像データから、前記撮影管理情報を送信する機器を検出し、該撮影管理情報送信機器の位置を原点とする２次元座標系と前記位置情報とに基づき前記撮影制限領域を特定することを特徴とする。
【００１１】
また、本発明の請求項４に係る記録再生装置は、請求項３に記載の記録再生装置において、前記制御部は、前記カメラ撮像部から出力される画像データの全体に対して前記撮影制限領域が占める割合が所定値以下の場合に、前記撮影制限領域の画質低減処理を行なうよう、前記カメラ撮像部、及び前記圧縮伸張部を制御することを特徴とする。
【００１２】
また、本発明の請求項５に係る記録再生装置は、請求項４に記載の記録再生装置において、前記撮影制限領域の画質低減処理は、前記カメラ撮像部が行なうフォーカス制御、マスク処理、フィルタ処理、及び前記圧縮伸張部が行なう圧縮レート制御のいずれか、若しくは複数の組み合わせであることを特徴とする。
【００１３】
また、本発明の請求項６に係る記録再生装置は、請求項３に記載の記録再生装置において、前記制御部は、前記カメラ撮像部から出力される画像データの全体に対して前記撮影制限領域が占める割合が所定値以上の場合は、前記カメラ撮像部から出力される画像データの記録媒体への記録を禁止することを特徴とする。
【００１４】
また、本発明の請求項７に係る記録再生方法は、被写体の撮影データを記録再生する記録再生方法において、被写体を撮像し、被写体の撮像データを所定の画像データに変換して出力する撮像ステップと、前記被写体の撮影禁止領域を指定する撮影管理情報を、無線通信により受信する通信ステップと、前記画像データのうちから、前記撮影管理情報が指定する撮影禁止領域に対応する撮影制限領域を特定する画像領域特定ステップと、前記撮影制限領域に対して所定の画像処理を行う画像処理ステップと、前記画像処理後の画像データの圧縮、及び伸張を行なう圧縮伸張ステップと、前記画像処理後の画像データを可視可能に表示する画像表示ステップとを備えることを特徴とする。
【００１５】
また、本発明の請求項８に係る記録再生方法は、請求項７に記載の記録再生方法において、前記撮影管理情報は、前記撮像データの所定領域が撮影禁止であるか、あるいは全ての領域が撮影禁止であるかを示す撮影禁止フラグと、前記撮影禁止領域を２次元の座標点として表す位置情報とを備えることを特徴とする。
【００１６】
また、本発明の請求項９に係る記録再生方法は、請求項８に記載の記録再生方法において、前記画像領域特定ステップは、前記画像データから、前記撮影管理情報を送信する機器を検出し、該撮影管理情報送信機器の位置を原点とする２次元座標系と前記位置情報とに基づき前記撮影制限領域を特定するステップであることを特徴とする。
【００１７】
また、本発明の請求項１０に係る記録再生方法は、請求項９に記載の記録再生方法において、前記画像処理ステップは、前記画像データの全体に対して前記撮影制限領域が占める割合が所定値以下の場合に、前記撮影制限領域の画質低減処理を行なうステップであることを特徴とする。
【００１８】
また、本発明の請求項１１に係る記録再生方法は、請求項１０に記載の記録再生方法において、前記撮影制限領域の画質低減処理は、フォーカス制御、マスク処理、フィルタ処理、及び圧縮レート制御のいずれか、若しくは複数の組み合わせであることを特徴とする。
【００１９】
また、本発明の請求項１２に係る記録再生方法は、請求項９に記載の記録再生方法において、前記画像データの全体に対して前記撮影制限領域が占める割合が所定値以上の場合は、前記画像データの記録媒体への記録を禁止することを特徴とする。
【発明の効果】
【００２０】
本発明に係る記録再生装置によれば、被写体の撮影禁止領域を示す撮影管理情報を無線通信により受信し、該撮影管理情報に基づきカメラ撮像部から出力される画像データのうちの、前記撮影禁止領域に対応する撮影制限領域を特定し、撮影制限領域に含まれる画像データに対して画質低減処理を行なって被写体の画像データの記録を行なうこととしたので、撮影制限領域に含まれる被写体の高画質記録を禁止することができ、これにより、前記撮影管理情報を発信する通信機器を、著作権保護若しくはプライバシー保護が必要とされる被写体の近傍に設置することにより、該被写体の著作権侵害の防止、あるいはプライバシーの保護を図ることが可能となる。
【発明を実施するための最良の形態】
【００２１】
（実施の形態１）
図１は本発明の実施の形態１に係る記録再生装置のブロック図、及び該記録再生装置と通信を行なう外部通信機器を表す図である。
【００２２】
図１において、１０１は、記録再生装置本体を表す。１０２は、カメラ撮像部であり、レンズ、ＣＣＤ、レンズ／ズームモータドライバ、ＣＤＳ／ＡＤＣ／ＡＧＣ部、カメラ信号処理部等から構成さる。なお、本実施の形態１においては、カメラ撮像部１０２の光電変換素子としてＣＣＤを使用しているが、ＣＭＯＳセンサー等の撮像素子を使用しても良い。１０３は、カメラ撮像部１０２から出力される映像信号の圧縮、及び圧縮された映像信号の伸張を行なう圧縮伸張部である。圧縮伸張部１０３は、映像信号入力Ｉ／Ｆ、映像圧縮伸張部、フレームメモリ等から構成され、撮影時には前段のカメラ撮像部１０２から出力される映像信号の圧縮を行ない、再生時には記録媒体部１０４から読み出した圧縮データを伸張する。ディジタル映像信号の圧縮伸張にはＪＰＥＧ方式やＭＰＥＧ方式、あるいはその他の圧縮伸張方式が使用される。１０４は、圧縮映像データの書き込み、及び読み出しを行う記録媒体部であり、半導体メモリ、ＤＭＡコントローラ、 記録媒体Ｉ／Ｆから構成さる。なお、記録媒体としては、前記半導体メモリの他に、ＨＤＤ、ＤＶＤ−ＲＡＭ等のディスク記録媒体、あるいはテープ等の磁気記録媒体であっても良い。１０５は、映像信号を可視可能に表示するディスプレイ表示部である。ディスプレイ表示部１０５はＬＣＤ、ＬＣＤドライバ等から構成され、被写体の撮影時には入力された映像をスルー表示し、記録データの再生時には再生映像の表示を行う。１０６は、ユーザの入力を受付け、制御部１０９へ通知を行うユーザＩ／Ｆであり、記録ボタン、メニューボタン、カーソルボタン等から構成される。１０７は、通信部１０８から得られる撮影管理情報とカメラ撮像部１０２から得られる画像データに基づき、カメラ撮像部１０２から出力される画像データ上の撮影禁止領域を特定する画像領域特定部であり、フレームメモリ、信号処理部から構成される。１０８は、外部通信機器１１０との通信を行う通信部である。本実施の形態１では、通信部１０８と外部通信機器１１０の通信手段としてＩｒＤＡ通信を使用しているが、ＢｌｕｅＴｏｏｔｈ、ワイヤレスＬＡＮ、移動体通信等その他の通信方式を使用しても良い。１０９は、記録再生装置１０１内の各デバイスの制御を行う制御部であり、ＣＰＵ、メモリ等から構成される。１１０は、後述する撮影管理情報を発信する外部通信機器である。
【００２３】
図３は、外部通信機器１１０が発信する撮影管理情報の構成を表す模式図である。
撮影管理情報３０１は、撮影禁止フラグ３０２と位置情報３０３から構成される。撮影禁止フラグ３０２は、記録再生装置１０１の撮影動作の可否を示すフラグであり、撮像データの所定領域が撮影禁止であるかを示すフラグか、撮像データの全ての領域が撮影禁止であるかを示すフラグにより構成される。位置情報３０３は、撮影禁止領域を構成する構成点の個数情報と各点の座標情報から構成され、各点の座標情報はＸ座標とＹ座標により表される。
【００２４】
以上のように構成される記録再生装置１０１の動作について、以下に説明する。
通常の記録再生時は、カメラ撮像部１０２が、レンズから入力される光をＣＣＤにより電気信号に変換し、ＣＤＳ／ＡＤＣ／ＡＧＣ部により、デジタル映像信号に変換する。ディジタル映像信号は、映像信号処理部においてフィルタ処理等の信号処理が行なわれ、圧縮伸張部１０３に送られる。圧縮伸張部１０３は、カメラ撮像部１０２からの出力を受け、デジタル映像信号をＪＰＥＧ若しくはＭＰＥＧ方式で圧縮する。圧縮データは記録媒体部１０４に送られ、ＤＭＡコントローラを使用して記録媒体部１０４の半導体メモリに書き込まれ記録される。
【００２５】
記録データの再生時には、記録媒体部１０４から読み出した圧縮データは、ＤＭＡコントローラ経由で圧縮伸張部１０３に送られ、ディジタル映像信号の伸張処理が行われる。伸張されたデジタル映像信号はディスプレイ表示部１０５に送られ、ＬＣＤに表示される。
【００２６】
次に、撮影禁止領域を特定して撮像データの記録制限を行なう場合の動作について図２を用いて説明する。
【００２７】
図２は、記録再生装置１０１が、撮影禁止領域を特定し、撮影禁止領域の撮影制限を行なう動作を表すフローチャートである。
【００２８】
まず、撮影待機状態にてフローをスタートさせる（ステップ２０１、以下「Ｓ２０１」とする）。通信部１０８は、外部通信機器１１０からの通信の有無を判定し（Ｓ２０２）、外部通信機器１１０からの通信がない場合は、撮影待機状態を続ける。一方、外部通信機器１１０からの通信がある場合は、外部通信機器１１０が発信する撮影管理情報３０１を取得する（Ｓ２０３）。
【００２９】
画像領域特定部１０７は、撮影禁止領域がカメラ撮像部１０２から出力される画像データの所定の領域か、あるいは全ての領域かを、撮影管理情報３０１の撮影禁止フラグ３０２に基づき判断する（Ｓ２０４）。
【００３０】
撮影禁止領域がカメラ撮像部１０２から出力される画像データの全てである場合は、制御部１０９は、ユーザＩ／Ｆ１０６内の撮影ボタンが押下されても撮影記録動作を行わないよう記録再生装置１０１の各デバイスを制御し（Ｓ２０９）、ディスプレイ表示部１０５に撮影制限を示す警告表示を表示して撮影動作を終了する（Ｓ２１０）。
【００３１】
撮影禁止領域が撮像データの所定の領域である場合は、画像領域特定部１０７により、前記カメラ撮像部から出力される画像データ上の領域であって、前記撮影管理情報が指定する撮影禁止領域に対応する領域である、撮影制限領域を特定する（Ｓ２０５）。
【００３２】
ここで、画像領域特定部１０７の撮影制限領域の特定方法について、図４を用いて説明する。
【００３３】
図４は、画像領域特定部１０７がカメラ撮像部１０２からの出力を受けて得る入力画像４０１を表す図である。図４において４０２は、入力画像４０１における外部通信機器１１０のＩｒＤＡ送信部を表す。画像領域特定部１０７は、入力画像４０１におけるＩｒＤＡ送信部４０２を、その形状及びＬＥＤの発光周期等から検出し、ＩｒＤＡ送信部４０２を原点４０３とし、ＩｒＤＡ送信部４０２の横方向をＸ軸４０４、縦方向をＹ軸４０５とする２次元の座標系を設定する。次に、撮影管理情報３０１に含まれる位置情報３０３に基づき、撮影制限領域４０７の構成点を算出し、各構成点を接続することにより囲まれる領域を撮影制限領域４０７として特定する。ここで、ズーム倍率、撮影距離により、入力画像４０１内の外部通信機器送信部４０２の大きさが異なることになるが、ＩｒＤＡ送信部４０２の形状から座標軸の単位ベクトルの大きさを決定することで、正確な撮影制限領域４０７の特定を行う。なお、前記構成点として２点を指定し、この２点と原点対称である２点と前記指定した２点とを接続することにより撮影制限領域４０７を特定しても良く、また、前記構成点として１点を指定し、原点４０３から前記指定した構成点までの距離を半径、原点４０３を中心点とする円を算出することにより撮影制限領域４０７を特定しても良い。
【００３４】
画像領域特定部１０７は、上述のように特定された撮影制限領域４０７が入力画像４０１に占める割合を判定し（Ｓ２０６）、撮影制限領域４０７が入力画像４０１の一定範囲以上である場合は、制御部１０９は、ユーザＩ／Ｆ１０６内の撮影ボタンが押下されても撮影記録動作を行わないよう記録再生装置１０１の各デバイスを制御し（Ｓ２０９）、ディスプレイ表示部１０５に撮影制限を示す警告表示を表示して撮影動作を終了する（Ｓ２１０）。
【００３５】
撮影制限領域４０７が入力画像４０１の一定範囲以下である場合は、撮影制限領域４０７に対して画質低減処理を行なう（Ｓ２０７）。画質低減処理は、撮影制限対象物に対してフォーカスをずらすカメラ撮像部１０２のフォーカスモータ制御、カメラ撮像部１０２における映像信号のフィルタ処理制御、モザイク処理やＯＳＤ重畳処理等の画像処理によるマスク処理、圧縮伸張部１０３における圧縮レート制御のいずれか、若しくは複数の処理の組み合わせにより行われる。画質低減処理を行った撮影制限領域４０７の映像は、前記フォーカスモータ制御を行った場合、焦点の合わないぼやけた映像となり、フィルタ処理制御を行った場合、エッジの落ちたぼんやりとした映像となり、また、画像処理のうち、モザイク処理を行った場合は、モザイク状の映像となり、ＯＳＤ重畳処理の場合はＯＳＤでマスクされ、また、圧縮レート制御を行った場合、ブロックノイズが目立つ映像となる。
【００３６】
撮影制限領域４０７に対して画質低減処理が行なわれた後に、ユーザＩ／Ｆ部１０６の撮影ボタンが押下された場合は、画質低減処理を行った画像データの記録動作を行い（Ｓ２０８）、フローを終了する（Ｓ２１０）。
【００３７】
以上のように本発明の実施の形態１に係る記録再生装置によれば、撮影禁止領域を示す撮影管理情報を無線通信により受信し、該撮影管理情報に基づきカメラ撮像部１０２から出力される画像データのうちの、前記撮影禁止領域に対応する撮影制限領域４０７を特定し、撮影制限領域４０７に含まれる画像データに対して画質低減処理を行なって被写体の画像データの記録を行なうこととしたので、撮影制限領域４０７に含まれる被写体の高画質撮影記録を禁止することができ、これにより前記撮影管理情報を発信する通信機器を、著作権保護若しくはプライバシー保護が必要とされる被写体の近傍に設置することにより、該被写体の著作権侵害の防止、あるいはプライバシー保護を図ることが可能となる。
【産業上の利用可能性】
【００３８】
本発明に係る記録再生装置によれば、外部通信機器から発信される撮影管理情報に基づき、カメラ入力画像の特定領域に対して画質低減処理を行って撮影記録を行うことが可能であり、高精度小型記録装置による著作権侵害の防止、若しくはプライバシーの保護を図ることが可能となる点において有用である。
【図面の簡単な説明】
【００３９】
【図１】本発明の実施の形態１に係る記録再生装置のブロック図、及び外部通信機器を表す図である。
【図２】本発明の実施の形態１に係る記録再生装置の動作を表すフローチャートである
【図３】撮影管理情報の構成を示す模式図である。
【図４】カメラ撮像部から出力される画像上の撮影管理情報送信部、座標基準情報、及び位置情報を表す図である。
【図５】従来のカメラ検出装置を表すブロック図である。
【符号の説明】
【００４０】
１０１  記録再生装置
１０２  カメラ撮像部
１０３  圧縮伸張部
１０４  記録媒体部
１０５  ディスプレイ表示部
１０６  ユーザＩ／F
１０７  画像領域特定部
１０８  通信部
１０９  制御部
１１０  外部通信機器
３０１  撮影管理情報
３０２  撮影禁止フラグ
３０３  位置情報
３０４  座標情報個数
３０５  各点の座標情報
３０６  座標データ
４０１  入力画像
４０２  撮影管理情報送信部
４０３  原点
４０４  Ｘ軸
４０５  Ｙ軸
４０６  各点座標
４０７  撮影制限領域
５０１  カメラ機器
５０２  スキャン装置
５０３  スポット光源
５０４  スキャン機構
５０５  光センサー
５０６  カメラ検出部
５０７  位置メモリ
５０８  マイクロコンピュータ
５０９  アラーム出力／報告部
【図１】
2005323007.tif 000003
【図２】
2005323007.tif 000004
【図３】
2005323007.tif 000005
【図４】
2005323007.tif 000006
【図５】
2005323007.tif 000007